【手続補正書】
【提出日】平成20年4月3日(2008.4.3)
【手続補正１】
【補正対象書類名】明細書
【補正対象項目名】特許請求の範囲
【補正方法】変更
【補正の内容】
【特許請求の範囲】
【請求項１】 
便器のボウル部およびトラップ通水路へ選択的に洗浄水を供給して汚物を排出する水洗式大便器において、全長が７００ｍｍ以下であり、且つ、溜水面の大きさがＪＩＳ Ａ ５２０７（１９９５）に準拠した１８０ｍｍ×１４０ｍｍ以上であるとともに、溜水面より上方のトラップ管の最小内断面積を２３．８ｃｍ2〜２８．３ｃｍ2の範囲で構成してサイホン作用を発生させることを特徴とする水洗式大便器。
【請求項２】 
便器のボウル部およびトラップ通水路へ独立に洗浄水を供給して汚物を排出する水洗式大便器において、全長が７００ｍｍ以下であり、且つ、溜水面の大きさがＪＩＳ Ａ ５２０７（１９９５）に準拠した１８０ｍｍ×１４０ｍｍ以上であるとともに、ゼット吐水口に取り付けられたノズル通水路の断面形状を出口方向に向かって徐々に開いた形状とした水洗式大便器。
【請求項３】 
前記ゼット吐水口に取付けられたノズル通水路からの流量が１８Ｌ／ｍｉｎ以上であることを特徴とする請求項２に記載の水洗式大便器。
【請求項４】 
トラップ堰部より上流側のトラップ上昇管の内断面積を２３．８ｃｍ2〜２８．３ｃｍ2の範囲で構成したことを特徴とする請求項２に記載の水洗式大便器。
【請求項５】 
前記水洗式大便器のボウル部の溜水位置より上方約３０ｍｍ位置までの壁面の傾斜を、ボウル部の他の部分よりも急傾斜とした請求項１〜４の何れか記載の水洗式大便器。
【請求項６】 
トラップ堰部の頂部より下流側におけるトラップ管の内断面積を３３．２ｃｍ2以上で構成したことを特徴とする請求項２〜４の何れかに記載の水洗式大便器。
【請求項７】 
便器洗浄のロータンクを備えることなく、給水源から供給される洗浄水で便器本体の洗浄を行う便器洗浄手段を有するタンクレスの水洗式大便器において、全長が７００ｍｍ以下であり、且つ、溜水面の大きさがＪＩＳＡ ５２０７（１９９５）に準拠した１８０ｍｍ×１４０ｍｍ以上であるとともに、溜水面より上方のトラップ管の最小内断面積を２３．８ｃｍ2〜２８．３ｃｍ2の範囲で構成してサイホン作用を発生させることを特徴とする水洗式大便器。
【請求項８】 
便器洗浄のロータンクを備えることなく、給水源から供給される洗浄水で便器本体の洗浄を行う便器洗浄手段を有するタンクレスの水洗式大便器において、全長が７００ｍｍ以下であり、且つ、溜水面の大きさがＪＩＳＡ ５２０７（１９９５）に準拠した１８０ｍｍ×１４０ｍｍ以上であるとともに、ゼット吐水口に取り付けられたノズル通水路の断面形状を出口方向に向かって徐々に開いた形状とした水洗式大便器。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
請求項２は、便器のボウル部およびトラップ通水路へ独立に洗浄水を供給して汚物を排出する水洗式大便器において、全長が７００ｍｍ以下であり、且つ、溜水面の大きさがＪＩＳ Ａ ５２０７（１９９５）に準拠した１８０ｍｍ×１４０ｍｍ以上であるとともに、ゼット吐水口に取り付けられたノズル通水路の断面形状を出口方向に向かって徐々に開いた形状としたことを特徴とする。上述の通り、全長７００ｍｍ以下というコンパクトな便器を実現するためには、トラップ部の構造をコンパクト且つ十分な汚物排出能力を有するように設計することが好適である。ここで、トラップ部はその堰部を境に上流側の上昇管と下流側の下降管からなる。ノズルからはこの上昇管に向けて洗浄水が吐水され、上昇管内部で拡散しつつそのエネルギーを洗浄水や汚物に伝えてゆく。この時、トラップ部の前後方向の長さを短くする為に、この上昇管を短くするとノズルからの吐水流によるエネルギー伝達が不十分になり、また、上昇管の上昇角度を大きくとると、大便等の重い汚物がトラップ堰部を超えることができなくなって、汚物の排出に影響がでてくる。請求項４に記載の発明によれば、ゼット吐水口からトラップ入り口に向けて吐水する水洗式大便器において、ゼット部に取り付けられたノズルの断面形状を出口に向かって徐々に開いた形状としたことで、ノズルからの吐水流をより拡散した噴流とし、トラップ部上昇路内を進む際に短い距離で汚物や洗浄水にエネルギーを伝達させることで、全長７００ｍｍ以下というコンパクトな便器において十分な水洗機能の確保を実現できる。
【手続補正５】
【補正対象書類名】明細書
【補正対象項目名】００１７
【補正方法】変更
【補正の内容】
【００１７】
請求項３は、前記ゼット吐水口に取付けられたノズル通水路からの流量が１８Ｌ／ｍｉｎ以上であることを特徴とする。ゼットノズル通水路からの単位時間あたりの給水流量を１８Ｌ／ｍｉｎ以上確保することにより、トラップ部上昇路内を進む際に短い距離で汚物や洗浄水により確実にエネルギーを伝達させること可能となり、全長７００ｍｍ以下というコンパクトな便器において十分な水洗機能の確保を実現できる。
【手続補正６】
【補正対象書類名】明細書
【補正対象項目名】００１８
【補正方法】変更
【補正の内容】
【００１８】
請求項４は、前記トラップ上昇管の内断面積を２３．８ｃｍ2〜２８．３ｃｍ2の範囲で構成したことを特徴とする。トラップ管の内断面積を２３．８ｃｍ2〜２８．３ｃｍ2の範囲の比較的狭い管によって構成したことにより、ゼット吐水口から吐水される洗浄水のエネルギーを必要以上に拡散させることなくより効果的に、トラップ内の洗浄水や、その中にある汚物に対して伝えることが可能となり、全長７００ｍｍ以下というコンパクトな便器において十分な水洗機能の確保を実現できる。
【手続補正７】
【補正対象書類名】明細書
【補正対象項目名】００１９
【補正方法】変更
【補正の内容】
【００１９】
請求項５は、前記水洗式大便器のボウル部の溜水位置より上方約３０ｍｍ位置までの壁面の傾斜を、ボウル部の他の部分よりも急傾斜としたことを特徴とする。便器の洗浄シーケンスとして、最初にボウル部洗浄を行い、次に汚物の排出を行う、といった様に時間差をおいて排出させるケースがある。このようにボウル部の洗浄と汚物排出開始の間に時間差がある場合、ボウル部への洗浄水の投入により、一時的にボウル部の溜水面の水位が上昇するので、ボウル部の溜水位置より上方約３０ｍｍ位置までの壁面の傾斜を、ボウル部の他の部分よりも急傾斜とすることで、この溜水位置の上昇効果を促進し、水頭圧力が上げることで汚物の排出効果を高めることができる。
【手続補正８】
【補正対象書類名】明細書
【補正対象項目名】００２０
【補正方法】変更
【補正の内容】
【００２０】
請求項６は、トラップ堰部の頂部より下流側におけるトラップ管の内断面積を３３．２ｃｍ2以上で構成したことを特徴とする。トラップ堰部の頂部より下流側における内断面積を３３．２cｍ2（φ６５ｍｍ相当）以上確保することにより、例えば便秘便の様に通常の便よりも堅く、直径や長さが大きな汚物の堰部通過の際に十分なクリアランスがとれ、排水管内にスムースに排出することができる。
【手続補正９】
【補正対象書類名】明細書
【補正対象項目名】００２１
【補正方法】変更
【補正の内容】
【００２１】
請求項７は、便器洗浄のロータンクを備えることなく、給水源から供給される洗浄水で便器本体の洗浄を行う便器洗浄手段を有するタンクレスの水洗式大便器において、全長が７００ｍｍ以下であり、且つ、溜水面の大きさがＪＩＳ Ａ５２０７（１９９５）に準拠した１８０ｍｍ×１４０ｍｍ以上であるとともに、溜水面より上方のトラップ管の最小内断面積を２３．８ｃｍ2〜２８．３ｃｍ2の範囲で構成してサイホン作用を発生させることを特徴とする。上述の通り、全長７００ｍｍ以下というコンパクトな便器を実現するためには、トラップ部の構造をコンパクト且つ十分な汚物排出能力を有するように設計することが好適である。ここで、トラップ部はその堰部を境に上流側の上昇管と下流側の下降管からなる。ノズルからはこの上昇管に向けて洗浄水が吐水され、上昇管内部で拡散しつつそのエネルギーを洗浄水や汚物に伝えてゆく。この時、トラップ部の前後方向の長さを短くする為に、この上昇管を短くし、上昇管の上昇角度を大きくとると、大便等の重い汚物がトラップ堰部を超えることができなくなって、汚物の排出に影響がでてくる。請求項９に記載の発明によれば、溜水面より上方のトラップ管の最小内断面積を２３．８ｃｍ2〜２８．３ｃｍ2の範囲で構成することで洗浄時にトラップ管内を満水状態とすることが可能となり、これらによってサイホン作用を誘発し、従来の便器ではトラップ堰部を超えることが難しかった重い汚物をサイホン作用によって発生した負圧の吸引作用により効果的に便器外に排出することができる。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】変更
【補正の内容】
【００２３】
請求項８は、便器洗浄のロータンクを備えることなく、給水源から供給される洗浄水で便器本体の洗浄を行う便器洗浄手段を有するタンクレスの水洗式大便器において、全長が７００ｍｍ以下であり、且つ、溜水面の大きさがＪＩＳ Ａ５２０７（１９９５）に準拠した１８０ｍｍ×１４０ｍｍ以上であるとともに、ゼット吐水口に取り付けられたノズル通水路の断面形状を出口方向に向かって徐々に開いた形状としたことを特徴とする。上述の通り、全長７００ｍｍ以下というコンパクトな便器を実現するためには、トラップ部の構造をコンパクト且つ十分な汚物排出能力を有するように設計することが好適である。ここで、トラップ部はその堰部を境に上流側の上昇管と下流側の下降管からなる。ノズルからはこの上昇管に向けて洗浄水が吐水され、上昇管内部で拡散しつつそのエネルギーを洗浄水や汚物に伝えてゆく。この時、トラップ部の前後方向の長さを短くする為に、この上昇管を短くするとノズルからの吐水流によるエネルギー伝達が不十分になり、また、上昇管の上昇角度を大きくとると、大便等の重い汚物がトラップ堰部を超えることができなくなって、汚物の排出に影響がでてくる。請求項１１に記載の発明によれば、ゼット吐水口からトラップ入り口に向けて吐水する水洗式大便器において、ゼット部に取り付けられたノズルの断面形状を出口に向かって徐々に開いた形状としたことで、ノズルからの吐水流をより拡散した噴流とし、トラップ部上昇路内を進む際に短い距離で汚物や洗浄水にエネルギーを伝達させることで、全長７００ｍｍ以下というコンパクトな便器において十分な水洗機能の確保を実現できる。